(57)【特許請求の範囲】
【請求項１】
装飾が施された木口面にその長手方向に沿う取付溝を配設し、該木口面に、透明又は半透明の軟質樹脂製被覆部と、その底面に設けられて長手方向に伸びる不透明の軟質樹脂製嵌合脚部とから構成される木口被覆材における上記嵌合脚部を上記取付溝に嵌合させた状態で装着したことを特徴とする装飾パネル板。
【請求項２】
上記木口面は装飾材にて装飾されていると共に、該装飾材と上記嵌合脚部とは同系色とされていることを特徴とする請求項１に記載の装飾パネル板。
【発明の詳細な説明】
【０００１】
【発明の属する技術分野】
本発明は、家具、棚板等に用いられる化粧板に関するものであり、詳しくは木口面の多様な色や模様、デザインの選択・変更が容易であり、且つ立体的な重厚感と透明感を付与することのできる汎用性に優れた透明性木口面を有する装飾パネル板に関する。
【０００２】
【従来の技術】
従来、装飾された木口面を有する化粧板を提供する方法として、化粧板の木口表面を直接塗装、印刷する手法に加え、単色に着色した、あるいは表面に木目調柄シートを張り合わせたＴ字状および帯状の木口装飾材を化粧板の木口面に貼付する手法があった。また、近年、木口面を木目や単色のプリントを裏面に施した透明樹脂製木口装飾材で装飾した化粧板は、透明樹脂を通して見える木口面の独特な光沢および重厚感など、そのデザイン性の高さが評価され、導入が試みられつつある。
【０００３】
【発明が解決しようとする課題】
しかしながら、従来のように化粧板の木口面に上記木口装飾材を貼付する手法では、現代の流動的で多様な商品ニーズに対応可能な小ロットかつ透明感を保持した木口面を有する化粧板を安価に提供することは困難であった。特に、Ｔ字状の木口装飾材の場合には、その裏面に木目や単色のプリントを施すことは技術的にも非常に困難を要し、量産が不可能であった。一方、多種多様なデザインのものが市販され、比較的入手が容易である樹脂製あるいは紙製の木口テープは化粧板の木口面を手軽に装飾できる材料であるが、その肉厚が薄く重厚感に欠けており、透明感も期待できないものであった。
【０００４】
ここに、本発明の目的とするところは、透明又は半透明で立体的な重厚感に優れ、多様な色や模様に装飾された各種直線および曲線の木口面を有する装飾パネル板を簡便に形成させ、かつ低コストで提供することにある。
【課題を解決するための手段】
【０００５】
まず、本願の請求項１に記載の発明は、装飾パネル板であって、装飾が施された木口面にその長手方向に沿う取付溝を配設し、該木口面に、透明又は半透明の軟質樹脂製被覆部と、その底面に設けられて長手方向に伸びる不透明の軟質樹脂製嵌合脚部とから構成される木口被覆材における上記嵌合脚部を上記取付溝に嵌合させた状態で装着したことを特徴とする。また、請求項２に記載の発明は、上記請求項１に記載の装飾パネル板において、上記木口面は装飾材にて装飾されていると共に、該装飾材と上記嵌合脚部とは同系色とされていることを特徴とする。
【０００６】
【発明の実施の形態】
本発明の実施の形態について、図面に基づいて説明する。図１から２において、１は装飾パネル板を示している。また、１０はパネル板、２０は木口被覆材、３０は装飾材を示している。装飾材３０にて装飾されたパネル板１０の木口面１１には、長手方向に沿って取付溝１１ａが配設されている。木口被覆材２０は、被覆部２１とその底面２１ａに設けられた長手方向に伸びる嵌合脚２２より構成され、該嵌合脚２２の両側面には鋸歯状凸条２２ａ、２２ｂが配設されている。図１は、本発明による装飾パネル板の断面図である。また、図２は装飾パネル板の組立形式について要部斜視図にて示している。
【０００７】
また、上記木口被覆材２０は、軟質合成樹脂にて一体成形されている。
【０００８】
また、木口被覆材２０における嵌合脚部２２は、両側面にすくなくとも一条の鋸歯状凸条２２ａ、２２ｂを具備し、木口被覆材２０と取付溝１１ａとの摩擦力を強化し、離脱を防止している。また、より強固に木口被覆材２０を取り付ける場合は、接着剤を併用することができる。
【０００９】
また、嵌合脚部２２は、必ずしも図１および図２に示すように一本でなくともよく、複数本でもよい。この場合、木口面１１における取付溝１１ａも、嵌合脚２２の数に合わせて配設する。
【００１０】
また、装飾材３０には木口テープがよく用いられるが、塗料あるいは染料によって修飾した場合においても同様の装飾効果が得られる。
【００１１】
したがって、図２に示すように、装飾パネル板１は、装飾材３０を敷設した木口面１１に取付溝１１ａを配設した後、木口被覆材２０における嵌合脚部２２を該取付溝１１ａへ挿入し嵌合させることによって、容易に組み立てることができる。
【００１２】
また、木口被覆材２０は軟質合成樹脂より形成されているため、手触りが柔らかく、装飾パネル板１と身体とが強く接触した際の怪我を防止する。また、該木口被覆材２０は自在に屈曲可能であり、直線の木口面１１においては、一方向だけでなく周囲全体を巻き込んで取り付けることができ、さらに複雑な外Ｒや内Ｒを有する曲線の木口面１１にも対応できる。
【００１３】
また、木口被覆材２０の被覆部２１は透明あるいは半透明軟質樹脂で形成されているため、パネル板１０に装着後、該被覆部２１を通して下層の装飾材３０の模様や色を見ることが可能であり、木口面１１のデザインに独特の奥行きや重厚感、遠近感、光沢などが付与される。さらに、該木口被覆材２０は、いかなるデザインを有する木口面１１においても、共用することができる。
【００１４】
また、嵌合脚部２２は必ずしも被覆部２１と同じ透明軟質樹脂である必要はなく、不透明な着色軟質樹脂であっても良い。この場合、使用する装飾材３０と嵌合脚部２２を同系色にすれば取付溝１１ａとの嵌合部分が隠蔽できる。さらに、着色透明樹脂にて形成したり、あるいは透明樹脂に微小片材等を分散させて形成した被覆部２１によって、相乗的な装飾効果を付与させることも可能である。
【００１５】
また、木口被覆材２０を装飾パネル板１に装着する際に、接着剤を使用していない場合は、必要時に木口被覆材２０を装飾パネル板１より離脱し、装飾材３０を交換することによって木口面１１のデザインを容易に変更することができる。
【００１６】
【発明の効果】
上述したように、本発明の装飾パネル板は、多様なデザインでパネル板の木口面を装飾した後、取付溝を配設、さらに木口被覆材をその底面に設けた嵌合脚にて該取付溝に嵌合し、装着することによって組み立てることが可能である。また、上記木口被覆材は、いかなるデザインで装飾された木口面にも共用して使用することができるため 、裏面に木目や単色のプリントを施した従来の透明樹脂製木口材に比べて多様なデザインに迅速に対応でき、装飾パネル板を安価に提供することができる。また、上記木口被覆材は透明又は半透明の被覆部と不透明の嵌合脚部とで構成されるので、特に嵌合脚部を木口面の装飾と同系色とすることにより、取付溝の嵌合部分を隠蔽できる。また、被覆部を着色透明樹脂や微小片材等を分散させた透明樹脂にて形成することによって、木口面の装飾のデザインに加えてさらに多種多様な装飾効果を創出することが可能である。また、木口被覆材を接着剤にて装着していなければ、必要時に木口被覆材を装飾パネル板より離脱し、木口面の装飾を変更することによって木口面のデザインの変更が容易に可能である。
【図面の簡単な説明】
【図１】  本発明における装飾パネル板の断面図。
【図２】  本発明における装飾パネル板の要部斜視図。
【符号の説明】
１  装飾パネル板
１０  パネル板
１１  木口面
１１ａ  取付溝
２０  木口被覆材
２１  被覆部
２２  嵌合脚部
２１ａ  底面
２２ａ、２２ｂ  鋸歯状凸条
３０  装飾材
【図１】
0004458392.tif 000002
【図２】
0004458392.tif 000003